(57)【要約】【課題】従来の、ヘッドホンの中にコードリールを内蔵した物は、端子をわざわざ外さないとコードを収納することが出来なかった。又、携帯電話用のイヤホンマイクにコードリールが設けてあるものは、コードの長さを調節するとき、コードリールがあちこちに動くため、固定して使用することが出来なかった。これらの問題を解決するために、イヤホン又はヘッドホン側のコードと、端子側のコードの長さを別々に調節できるコードリールを提供する。【解決手段】コードリールのリールを上下に二つ設け、リール１（１）でイヤホン（４）又はヘッドホン側のコードの長さを調節し、リール２（２）で端子（５）側のコードの長さを調節することで、二つのコードの長さを別々に調節でき、又、コードリールを様々な場所に固定して使用することを可能にする。【選択図】    図１
2005051805.tif 000002
【特許請求の範囲】
【請求項１】
コードリールのリールを上下に二つ設けることで、ＣＤやＭＤウォークマン等のイヤホン又はヘッドホン、携帯電話用のイヤホンマイク又はヘッドホンマイクの、イヤホン又はヘッドホン側のコードと端子側のコードの長さを別々に調節でき、収納できるようにしたことを特徴とするコードリール。
【請求項２】
コードリールの中心部から、イヤホン又はヘッドホン、携帯電話用のイヤホンマイク又はヘッドホンマイクの端子と端子側のコードを出すことで、コードリールから出ている、端子側のコードの長さは変えずに、イヤホン又はヘッドホン側のコードの長さだけを自由に調節でき、収納できることを特徴とするコードリール。
【請求項３】
請求項１や請求項２のコードリールにキーホルダーの金具をつけ、キーホルダーとして使用することを特徴としたコードリール。
【請求項４】
キャラクターや動物のぬいぐるみに、コードリールを入れる穴、イヤホン又はヘッドホンを出す穴、端子を出す穴、コードを通す穴を設け、請求項１や請求項２のコードリールをキャラクターや動物のぬいぐるみに、取り外し出来る様に内蔵し、鞄や車内等に取り付けて使用する。
【請求項５】
請求項１や請求項２のコードリールを、キャラクターや動物、星やハートの形、食べ物や花の形に作り使用する。
【請求項６】
請求項２のコードリールで、端子側のコードの長さを自由に調節したい場合、コードの途中に、コードを巻いたりほどいたりすることで、コードの長さを自由に調節できる、コードを巻いておく道具を設ける。
【請求項７】
請求項６のコードを巻いておく道具を、キャラクターや動物、星やハートの形、食べ物や花の形に作り使用する。
【請求項８】
コードリールにイヤホンマイク等の、イヤホン側のコードを収納したとき、コードがコードリールから長く出ていて邪魔な場合、コードリールにイヤホンをはめ込む窪みを設けることで、コードが邪魔にならないようにすることを特徴としたコードリール。
【発明の詳細な説明】
【発明の詳細な説明】
【技術分野】
【０００１】本発明は、イヤホン又はヘッドホン側のコードと、端子側のコードの長さを別々に調節出来るようにしたことで、コードリールを、好きな場所にマジックテープや両面テープ又はクリップ等を使い、固定して使用することを可能とし、又、コードリールをキーホルダーとして使用することが出来るようにしたものである。
【背景技術】
【０００２】従来、ヘッドホンの中にコードリールを内蔵した物や、携帯電話用のイヤホンマイクのマイクと端子の間にコードリールを設け、イヤホン側と端子側の両方を平行に引っ張ることで、携帯電話用イヤホンマイクのコードの長さを調節するものがあった。
【発明が解決しようとする課題】
【０００３】（イ）．従来の、ヘッドホンの中にコードリールを内蔵した物は、端子を、ＣＤやＭＤウォークマン等からわざわざ外さないと、コードを巻き取り収納することが出来なかった。
（ロ）．従来の、携帯電話用イヤホンマイクにコードリールが設けてあるものは、コードの長さを調節するときに、コードリールがあちこちに動き、コードリールを固定して使用することが出来ず、携帯電話からぶら下げておくしか使用方法がなかった。
本発明は、これらの課題を解決するためになされたものである。
【課題を解決するための手段】
【０００４】コードリールのリールを上下に二つ設けることで、イヤホン又はヘッドホンや携帯電話用イヤホンマイクの、イヤホン（４）又はヘッドホン側のコードと端子（５）側のコードの長さを別々に調節でき、収納出来るようにし、又、別々に長さを調節出来るようにしたことで、コードリールを固定して使用することを可能にした。
【発明実施の形態】
【０００５】以下、本発明の実施の形態について説明する。
（イ）．コードリールの中に、リール１（１）とリール２（２）を上下に設け、リール１（１）にイヤホン（４）側のコード、リール２（２）に端子（５）側のコードを巻きつける。リール２（２）からリール１（１）へコード（８）を通すには、リール１の底（９）の中心部に設けてある、リール２からリール１へコードを通す穴（３）にコード（８）を通す。
（ロ）．空洞（１１）を設けることで、端子側のコードを引っ張り出したり、巻いたりしても、リール２（２）からリール１（１）に通してあるコード（８）等が絡まらないようにする。
（ハ）．使用するコード（８）の長さや、使用方法に応じて、コードリールの大きさを小さく作ったり、大きく作ったりする。
（ニ）．端子側のコードを、中心軸（２９）を通しコードリールの中心から外に出すことで、イヤホン側のコードの長さだけを調節出来るようにする。端子側のコードの長さを、調節したい場合は、端子側のコードの途中に、コードを巻いておく道具（２８）を設け、コードを巻きつける中心軸（２６）に適当な長さになるようコード（８）を巻きつけ、コード（８）の長さを調節し、コードをはめて止める溝（２７）に、コード（８）をはめ込み、コードの長さを固定する。
（ホ）．コードリールをキャラクターや動物、星やハートの形、食べ物や花の形に作り、キーホルダーの金具（１５）を付けてキーホルダーとして使用する。又は、クリップや安全ピン等を付けて、体や持ち物につけて使用する。イヤホン側のコードが、外に長く出ていて邪魔な場合は、イヤホンをはめ込む窪み（１６）を作り、そこにイヤホンをはめておくことで、収納時にはコード（８）等が邪魔にならず、見栄えもよくなるようにする。
（ヘ）．くまのぬいぐるみ（１８）等、キャラクターや動物のぬいぐるみに、コードリールを入れる穴（１９）、イヤホンを出す穴（２０）、端子を出す穴（２１）、コードを通す穴（２５）を設け、ぬいぐるみとコードリールを一体化し、車内、バイク、自転車や持ち物等にキーホルダーの金具（１５）やマジックテープや紐等で取り付け使用する。又、使用方法に応じて、携帯電話又はＣＤやＭＤウォークマン等を入れるポケット（２３）やイヤホンを入れておくポケット（２２）を設け、使用する。
（ト）．コードリールからコード出す穴に、Ｏリング（６）を設けることで、コードとの摩擦を少なくし、様々な角度にスムーズに、コードを引き出せるようにする
【発明の効果】
【０００６】本発明のコードリールを使うことで、ＣＤやＭＤウォークマン等のイヤホン又はヘッドホン、携帯電話用のイヤホンマイク又はヘッドホンマイクの、イヤホン又はヘッドホン側のコードと、端子側のコードを、別々に長さを調節でき、収納できるようにした。これにより、従来のものとは違い、様々な場所へ固定して使用することが可能となった。コードリールを、キーホルダーや、ぬいぐるみに内蔵して使用できるようにしたことで、携帯電話用のイヤホンマイク等の、携帯電話をハンズフリーとして使う商品を、さらに普及させ、近年問題となっている、携帯電話使用中の事故を減らす。
【図面の簡単な説明】
【図１】  本発明の構造を示す斜視図である。
【図２】  本発明の構造を示す側面図である。
【図３】  本発明の一部を示す正面図である。
【図４】  本発明の構造を示す斜視図である。
【図５】  本発明の正面図である。
【図６】  本発明の正面図である。
【図７】  本発明の一部を示す斜視図である。
【符号の説明】
１  リール１
２  リール２
３  リール２からリール１へコードを通す穴
４  イヤホン
５  端子
６  Ｏリング
７  ストッパーの一部
８  コード
９  リール１の底
１０  リール２の底
１１  空洞
１２  リール１とリール２の裏側
１３  コードリールの渦巻きバネ
１４  マイクとスイッチ
１５  キーホルダーの金具
１６  イヤホンをはめ込む窪み
１７  リール１とリール２
１８  くまのぬいぐるみ
１９  コードリールを入れる穴
２０  イヤホンを出す穴
２１  端子を出す穴
２２  イヤホンを入れておくポケット
２３  携帯電話又はＣＤやＭＤウォークマン等を入れるポケット
２４  携帯電話
２５  コードを通す穴
２６  コードを巻きつける中心軸
２７  コードをはめて止める溝
２８  コードを巻いておく道具
２９  中心軸
【図１】
2005051805.tif 000003
【図２】
2005051805.tif 000004
【図３】
2005051805.tif 000005
【図４】
2005051805.tif 000006
【図５】
2005051805.tif 000007
【図６】
2005051805.tif 000008
【図７】
2005051805.tif 000009